(57)【要約】【課題】  教育施設への生徒の出退状況を、生徒が所持したＩＤタグを介して監視し、生徒の出席・退席を検知すると電子メールで保護者に通知する出退管理システムにおいて、生徒の出退状況をより正確に通知できるようにする。【解決手段】  出退検知用タグリーダ１２が生徒のＩＤタグ２からＩＤを読み込み、そのＩＤが管理用コンピュータ３０に送信されてきたときだけでなく、先生が生徒の出席若しくは帰宅を確認して、管理端末１６を介して出退情報ＤＢ２４に登録されている生徒の出退状況を更新させたときにも、通知用コンピュータ３２を介して、電子メールにて生徒の出席若しくは帰宅を保護者等に通知させる。この結果、生徒がＩＤタグ２を忘れてきたような場合にも、保護者等に生徒の出席・帰宅を通知することができる。【選択図】  図１
0003112683.tif 000002
【実用新案登録請求の範囲】
【請求項１】
塾、学校等の教育施設へ通う生徒が各々所持し且つ各生徒の識別情報が記憶されたＩＤタグを介して、各生徒の教育施設への出退状況を管理する出退管理システムであって、
前記施設の出入り口に配置され、前記ＩＤタグから生徒の識別情報を読み取るタグリーダと、
前記各生徒毎に前記施設への出退状況を記憶するための出退状況記憶手段と、
該タグリーダにて読み取られた識別情報に基づき、該識別情報に対応した生徒の前記施設への出退を検知し、該検知結果を検知時刻と共に前記出退状況記憶手段に登録する出退状況登録手段と、
前記出退状況記憶手段に記憶された各生徒の出退状況を表示する表示手段と、
前記出退状況記憶手段に記憶された各生徒の出退状況を、外部操作によって手動で書き換えるための出退状況書換手段と、
前記各生徒毎に、前記出退状況の連絡先として電子メールのメールアドレスを複数登録可能な連絡先記憶手段と、
前記出退状況登録手段又は前記出退状況書換手段により前記出退状況記憶手段に記憶された出退状況が更新されると、該出退状況が更新された生徒に対する連絡先として登録されているメールアドレスを前記連絡先記憶手段から読み出し、そのメールアドレスに対して、更新後の出退状況を表す電子メールを送信する出退状況通知手段と、
を備えたことを特徴とする出退管理システム。
【請求項２】
前記出退状況登録手段は、前記出退状況記憶手段へ出退状況を登録すると、その後一定時間は、同一の生徒に対する出退状況の登録を禁止することを特徴とする請求項１に記載の出退管理システム。
【請求項３】
外部からの欠席通知指令に従い、前記出退状況記憶手段に記憶された各生徒の出退状況の中から、出退状況が未出席状態となっている生徒を検索し、該検索した生徒に対する連絡先であるメールアドレスを前記連絡先記憶手段から読み出し、そのメールアドレスに対して、該生徒が欠席している旨を表す電子メールを送信する欠席通知手段を備えたことを特徴とする請求項１又は請求項２に記載の出退管理システム。
【請求項４】
前記出退状況書換手段は、前記出退状況記憶手段に対して、各生徒の出退状況の一つとして欠席を手動で登録できるようにされており、
前記欠席通知手段は、前記欠席通知指令に従い前記出退状況記憶手段を検索する際、出退状況が欠席として登録された生徒については検索の対象から外し、欠席が登録されておらず未出席状態となっている生徒を抽出することを特徴とする請求項３に記載の出退管理システム。
【請求項５】
広域ネットワークを介して外部情報端末から特定の生徒の出退状況が要求されると、該要求に従い前記出退状況記憶手段から特定の生徒の出退状況を読み出し、外部情報端末に送信する出退状況返信手段を備えたことを特徴とする請求項１〜請求項４の何れかに記載の出退管理システム。
【請求項６】
前記各生徒毎又は各生徒が属するグループ毎に、各生徒の連絡先に通知すべき通知情報を記憶する通知情報記憶手段と、
外部操作によって前記通知情報記憶手段に通知情報を書き込むための通知情報書込手段と、
外部からの通知情報通知指令に従い、前記通知情報記憶手段から特定の生徒又は特定のグループに対する通知情報を読み出すと共に、該通知情報を送信すべき生徒の連絡先であるメールアドレスを前記連絡先記憶手段から読み出し、そのメールアドレスに対して、前記読み出した通知情報を電子メールにて送信する通知情報通知手段と、
を備えたことを特徴とする請求項１〜請求項５の何れかに記載の出退管理システム。
【請求項７】
前記教育施設への通学路に沿って設置され、前記ＩＤタグから生徒の識別情報を読み取る複数の登下校監視用タグリーダと、
生徒の通学路での登下校状況を記憶するための登下校状況記憶手段と、
前記各登下校監視用のタグリーダにて生徒の識別情報が読み取られると、該識別情報と該識別情報を読み取ったタグリーダの設置場所と、現在時刻とを、前記登下校状況記憶手段に格納する登下校状況登録手段と、
を備えたことを特徴とする請求項１〜請求項６の何れかに記載の出退管理システム。
【請求項８】
前記各登下校監視用タグリーダ近傍に設置され、周囲の画像を撮像する撮像手段を備え、
前記登下校状況登録手段は、前記各登下校監視用のタグリーダにて生徒の識別情報が読み取られると、該識別情報を読み取ったタグリーダ近傍の撮像手段を所定時間動作させてタグリーダ周囲の撮像画像を取得し、前記識別情報と共に該撮像画像をも前記登下校状況記憶手段に格納することを特徴とする請求項７に記載の出退管理システム。
【請求項９】
前記登下校監視用タグリーダの一部は、緊急避難用の施設に設置された緊急通知用のタグリーダであり、
該緊急通知用のタグリーダにて生徒の識別情報が読み取られると、その生徒に対する連絡先として登録されているメールアドレスを前記連絡先記憶手段から読み出し、そのメールアドレスに対して、識別情報を読み取ったタグリーダの設置場所を表す電子メールを送信する緊急通知手段を備えたことを特徴とする請求項７又は請求項８に記載の出退管理システム。
【考案の詳細な説明】
【技術分野】
【０００１】
本考案は、塾や学校等の教育施設に通う生徒の出退状況を管理するための出退管理システムに関する。
【背景技術】
【０００２】
従来より、塾や学校等では、これらの施設に通う生徒が登校してきたときや下校する際に、保護者等にその旨を自動で通知することにより、保護者等が生徒の所在を把握できるようにすることが提案されている（例えば特許文献１等参照）。
【０００３】
つまり、この提案のシステムでは、生徒に生徒個人の識別情報を記憶したＩＣカードを持たせ、塾や学校の出入り口には、生徒が所持するＩＣカードから識別情報を読み取るカードリーダを配置することにより、生徒の出席・退席状況（出退状況）を自動で検知できるようにし、しかも、その出退状況を検知した際には、その検知結果をそのときの時刻と共に出退履歴として残すと共に、予め設定された保護者等の連絡先に、生徒が登校又は下校した旨を電子メールにて通知するようにしている（例えば、特許文献１等参照）。
【特許文献１】特開２００４−４６４５８号公報
【考案の開示】
【考案が解決しようとする課題】
【０００４】
しかしながら、上記提案のシステムでは、生徒の出退時に所定の連絡先にその旨を表す電子メールを配信するだけであったことから、生徒が登校しなかった場合や、ＩＣカードを忘れたり紛失して、出退時にカードリーダに識別情報を読み取らせることができなかったような場合には、保護者等にはその旨が連絡されず、連絡を待っている保護者等に対して、精神的な負担をかけてしまうという問題があった。
【０００５】
本考案は、こうした問題に鑑みなされたもので、塾や学校へ通う生徒の出退状況を、生徒の識別情報（ＩＤ）を記憶したＩＤタグ（ＩＣカード等）を介して自動で管理し、生徒の出退時には、所定の連絡先にその旨を通知する出退管理システムにおいて、生徒の出退状況をより確実に連絡先に通知できるようにすることを目的とする。
【課題を解決するための手段】
【０００６】
かかる目的を達成するためになされた請求項１に記載の考案は、塾、学校等の教育施設へ通う生徒が各々所持し且つ各生徒の識別情報が記憶されたＩＤタグを介して、各生徒の教育施設への出退状況を管理する出退管理システムであって、
前記施設の出入り口に配置され、前記ＩＤタグから生徒の識別情報を読み取るタグリーダと、
前記各生徒毎に前記施設への出退状況を記憶するための出退状況記憶手段と、
該タグリーダにて読み取られた識別情報に基づき、該識別情報に対応した生徒の前記施設への出退を検知し、該検知結果を検知時刻と共に前記出退状況記憶手段に登録する出退状況登録手段と、
前記出退状況記憶手段に記憶された各生徒の出退状況を表示する表示手段と、
前記出退状況記憶手段に記憶された各生徒の出退状況を、外部操作によって手動で書き換えるための出退状況書換手段と、
前記各生徒毎に、前記出退状況の連絡先として電子メールのメールアドレスを複数登録可能な連絡先記憶手段と、
前記出退状況登録手段又は前記出退状況書換手段により前記出退状況記憶手段に記憶された出退状況が更新されると、該出退状況が更新された生徒に対する連絡先として登録されているメールアドレスを前記連絡先記憶手段から読み出し、そのメールアドレスに対して、更新後の出退状況を表す電子メールを送信する出退状況通知手段と、
を備えたことを特徴とする。
【０００７】
このように構成された本考案の出退管理システムにおいては、教育施設の出入り口に配置されたタグリーダにて、生徒が所持するＩＤタグから生徒の識別情報が読み取られると、出退状況登録手段が、その識別情報に対応した特定の生徒の当該施設への出退を検知し、その検知結果を検知時刻と共に出退状況記憶手段に登録する。
【０００８】
また、本考案の出退管理システムには、各生徒毎に、出退状況の連絡先として電子メールのメールアドレスを複数登録可能な連絡先記憶手段が備えられており、上記のように出退状況登録手段が生徒の出退状況を出退状況記憶手段に登録することによって、出退状況記憶手段に記憶された生徒の出退状況が更新されると、出退状況通知手段が、出退状況が更新された生徒に対する連絡先として登録されているメールアドレスを連絡先記憶手段から読み出し、そのメールアドレスに対して、更新後の出退状況を表す電子メールを送信する。
【０００９】
従って、本考案の出退管理システムによれば、塾や学校等の教育施設に生徒が登校してきたときや生徒が下校する際に、その生徒の識別情報をタグリーダを介して読み取ることができれば、その生徒の出退状況の連絡先として予め登録されているメールアドレスに対して、生徒の出退状況が自動で通知されることになる。
【００１０】
よって、生徒の保護者は、そのメールアドレスとして所望のインターネット端末のメールアドレスを登録しておけば、子供の教育施設への出退状況（換言すれば子供の所在や行動）を把握することができる。また、連絡先記憶手段には、複数のメールアドレスを登録できることから、保護者は、複数のメールアドレスを登録することで、自宅に設置されたインターネット端末や、保護者が所持している携帯型のインターネット端末（携帯電話や携帯型情報端末）等、複数のインターネット端末を利用して子供の出退状況を把握することができる。
【００１１】
また、本考案の出退管理システムには、出退状況記憶手段に記憶された各生徒の出退状況を表示する表示手段と、出退状況記憶手段に記憶された各生徒の出退状況を、外部操作によって手動で書き換えるための出退状況書換手段とが設けられていることから、生徒がＩＤタグを忘れるか或いは紛失して、タグリーダにて生徒の出退状況を検知することができないような場合であっても、先生や管理者は、表示手段に生徒の出退状況を表示させてその内容を確認しつつ、出退状況書換手段を操作することにより、出退状況記憶手段に登録された生徒の出退状況を手動で書き換えることができる。
【００１２】
そして、出退状況通知手段は、出退状況書換手段を介して出退状況記憶手段に記憶された出退状況が書き換えられた際にも、その生徒に対する連絡先として登録されているメールアドレスを連絡先記憶手段から読み出し、そのメールアドレスに対して、更新後の出退状況を表す電子メールを送信することから、本考案の出退管理システムによれば、生徒がＩＤタグを忘れるか或いは紛失して、タグリーダにて生徒の出退状況を検知することができないような場合であっても、その生徒に対して設定されている連絡先に、生徒の出退状況が通知することができることになる。
【００１３】
よって、本考案の出退管理システムによれば、上述した従来システムに比べて、生徒の出退状況をより確実に連絡先に通知できるようになり、連絡先の保護者等に対して不安を与えるのを防止できる。
【００１４】
次に、請求項２に記載の考案は、請求項１に記載の出退管理システムにおいて、出退状況登録手段は、出退状況記憶手段へ出退状況を登録すると、その後一定時間は、同一の生徒に対する出退状況の登録を禁止することを特徴とする。
【００１５】
つまり、タグリーダは、塾や学校の出入り口に設置されるものであることから、生徒がその出入り口付近で行ったり来たりすると、タグリーダが、その生徒が所持するＩＤタグから識別情報を複数回読み取り、出退状況登録手段が、その生徒の出退状況を誤検知して、出退状況記憶手段に記憶された生徒の出退状況を誤って更新してしまうことが考えられる。そして、このように生徒の出退状況が誤って更新された際にでも、出退状況通知手段は、その更新結果に従い生徒の連絡先に出退状況を送信してしまう。
【００１６】
そこで、請求項２に記載の出退管理システムにおいては、出退状況登録手段が出退状況記憶手段へ出退状況を登録すると、その後一定時間は、同一の生徒に対する出退状況の登録を禁止することで、出退状況記憶手段に記憶された生徒の出退状況が誤って更新されるのを防止し、延いては、生徒の連絡先への出退状況の通知を正確に行うことができるようにしているのである。
【００１７】
次に、請求項３に記載の考案は、請求項１又は請求項２に記載の出退管理システムにおいて、外部からの欠席通知指令に従い、出退状況記憶手段に記憶された各生徒の出退状況の中から、出退状況が未出席状態となっている生徒を検索し、その検索した生徒に対する連絡先であるメールアドレスを連絡先記憶手段から読み出し、そのメールアドレスに対して、生徒が欠席している旨を表す電子メールを送信する欠席通知手段を備えたことを特徴とする。
【００１８】
つまり、請求項１又は請求項２に記載の出退管理システムにおいては、タグリーダがＩＤタグから生徒の識別情報を読み取り、出退状況記憶手段に記憶された生徒の出退状況が更新されるか、或いは、教育施設の先生や管理者が出退状況記憶手段に記憶された生徒の出退状況を更新すると、その更新された出退状況（つまり生徒の登校・下校）を表す電子メールが所定の連絡先に送信されるが、生徒が登校して来なかったときには、出退状況は更新されないので、その旨を通知することはできない。
【００１９】
そこで、請求項３に記載の出退管理システムにおいては、例えば、始業時刻経過後、先生が欠席通知指令を入力すれば、欠席通知手段が出退状況記憶手段に記憶された各生徒の出退状況の中から、出退状況が未出席状態となっている生徒を検索して、その生徒に対する連絡先に、その生徒が欠席している旨を表す電子メールを送信することで、保護者等にその旨を通知するようにしているのである。
【００２０】
この結果、本考案によれば、生徒が欠席して、そのＩＤタグがタグリーダにて読み込まれなかった場合であっても、生徒が欠席している旨を、保護者等に通知することができるようになる。また、こうした欠席の通知を受けた保護者は、何故欠席しているのかを調べたり、生徒の居場所を探したりすることができるので、生徒が登校途中で事故等に遭遇した際の対策を速やかに行うことができる。
【００２１】
次に、請求項４に記載の考案は、請求項３に記載の出退管理システムにおいて、出退状況書換手段は、出退状況記憶手段に対して、各生徒の出退状況の一つとして欠席を手動で登録できるようにされており、欠席通知手段は、欠席通知指令に従い出退状況記憶手段を検索する際、出退状況が欠席として登録された生徒については検索の対象から外し、欠席が登録されておらず未出席状態となっている生徒を抽出することを特徴とする。
【００２２】
つまり、請求項４に記載の出退管理システムは、保護者等から生徒が欠席すると連絡があった際には、その旨を出退状況記憶手段に記憶することで、生徒が欠席した際には、その欠席が無断欠席であるか連絡済みであるかを出退履歴として残すようにし、しかも、電子メールによる保護者等への欠席の通知は、無断欠席者に限って行い、欠席の届けが出ている生徒については行わないようにしている。
【００２３】
このため、請求項４に記載の出退管理システムによれば、欠席していることが判っている保護者等に対しても欠席を通知してしまい、保護者等に不快感を与えてしまうのを防止できる。
【００２４】
一方、請求項５に記載の考案は、請求項１〜請求項４の何れかに記載の出退管理システムにおいて、広域ネットワークを介して外部情報端末から特定の生徒の出退状況が要求されると、その要求に従い出退状況記憶手段から特定の生徒の出退状況を読み出し、外部情報端末に送信する出退状況返信手段を備えたことを特徴とする。
【００２５】
従って、この請求項５に記載の出退管理システムによれば、生徒の保護者等は、インターネット等の広域ネットワークに接続可能な外部情報端末を利用して、生徒の出退状況を確認することができる。
【００２６】
なお、このように保護者等からの要求に従い生徒の出退状況を通知するに当たっては、例えば、その出退状況の確認の要求を受け付けるためのホームページを立ち上げ、保護者等がこのホームページにアクセスすることにより、生徒の出退状況を確認できるようにすればよい。
【００２７】
次に、請求項６に記載の考案は、請求項１〜請求項５の何れかに記載の出退管理システムにおいて、各生徒毎又は各生徒が属するグループ毎に、各生徒の連絡先に通知すべき通知情報を記憶する通知情報記憶手段と、外部操作によって通知情報記憶手段に通知情報を書き込むための通知情報書込手段と、外部からの通知情報通知指令に従い、通知情報記憶手段から特定の生徒又は特定のグループに対する通知情報を読み出すと共に、その通知情報を送信すべき生徒の連絡先であるメールアドレスを前記連絡先記憶手段から読み出し、そのメールアドレスに対して、読み出した通知情報を電子メールにて送信する通知情報通知手段と、を備えたことを特徴とする。
【００２８】
この請求項６に記載の出退管理システムによれば、各生徒毎、或いは、複数の生徒が属するグループ（具体的には、学年、クラス、或いは一つの教育施設に通う全生徒）毎に、連絡すべき通知情報がある場合、教育施設の先生や管理者は、その通知情報を通知情報書込手段を介して通知情報記憶手段に書き込み、その通知情報の送信指令を入力すれば、通知情報通知手段が、通知情報を通知すべき生徒の連絡先に、その通知情報を記述した電子メールを自動で送信することになる。よって、この請求項６に記載の出退管理システムによれば、生徒の出退状況だけでなく、保護者等に通知すべき通知情報をも、保護者に簡単に通知することができるようになる。
【００２９】
一方、請求項７に記載の考案は、請求項１〜請求項６の何れかに記載の出退管理システムにおいて、教育施設への通学路に沿って設置され、ＩＤタグから生徒の識別情報を読み取る複数の登下校監視用タグリーダと、生徒の通学路での登下校状況を記憶するための登下校状況記憶手段と、各登下校監視用のタグリーダにて生徒の識別情報が読み取られると、その識別情報とその識別情報を読み取ったタグリーダの設置場所と現在時刻とを登下校状況記憶手段に格納する登下校状況登録手段と、を備えたことを特徴とする。
【００３０】
このように構成された請求項７に記載の出退管理システムによれば、登下校状況記憶手段に、各生徒の登下校時の位置及び時刻を時系列的に記憶させることができる。このため、例えば、生徒が無断欠席した場合や帰宅予定時間になっても帰宅しない場合等には、登下校状況記憶手段に記憶された生徒の登下校時の情報から、生徒が実際に通った登下校経路を確認して、生徒を探すことができるようになる。
【００３１】
なお、登下校監視用タグリーダは、通学路だけでなく、各生徒の自宅にも設置するようにしてもよい。そして、このようにすれば、生徒が家を出たときや帰宅したときの時刻を登下校状況記憶手段に記憶させることができ、生徒を探す際の情報として利用することができる。
【００３２】
次に、請求項８に記載の考案は、請求項７に記載の出退管理システムにおいて、各登下校監視用タグリーダ近傍に設置され、周囲の画像を撮像する撮像手段を備え、登下校状況登録手段は、各登下校監視用のタグリーダにて生徒の識別情報が読み取られると、その識別情報を読み取ったタグリーダ近傍の撮像手段を所定時間動作させてタグリーダ周囲の撮像画像を取得し、識別情報と共に、その撮像画像をも登下校状況記憶手段に格納することを特徴とする。
【００３３】
このように、請求項８に記載の出退管理システムによれば、登下校監視用のタグリーダが生徒の識別情報を読み取ると、そのタグリーダ付近に設置された撮像手段を介して、タグリーダ周囲の画像を一定時間撮像し、その撮像画像を生徒の識別情報と共に登下校状況記憶手段に格納するようにされているので、登下校途中の生徒の状況を画像と共により詳しく登下校状況記憶手段に記憶させることができ、例えば、生徒が事故や事件に巻き込まれたような場合に、登下校状況記憶手段に記憶された画像を利用してそのときの状況を確認することができる。また、請求項８に記載の出退管理システムによれば、生徒の通学路に所謂防犯カメラが設置されることになるので、その通学路で発生する犯罪を抑止する効果もあり、登下校時の生徒の安全性を向上することができる。
【００３４】
また次に、請求項９に記載の考案は、請求項７又は請求項８に記載の出退管理システムにおいて、登下校監視用タグリーダの一部は、緊急避難用の施設に設置された緊急通知用のタグリーダであり、この緊急通知用のタグリーダにて生徒の識別情報が読み取られると、その生徒に対する連絡先として登録されているメールアドレスを連絡先記憶手段から読み出し、そのメールアドレスに対して、識別情報を読み取ったタグリーダの設置場所を表す電子メールを送信する緊急通知手段を備えたことを特徴とする。
【００３５】
従って、この請求項９に記載の出退管理システムによれば、登下校中の生徒が、緊急避難用の施設（例えば「子供１１０番」の施設）に入って、緊急通知用のタグリーダに自己のＩＤタグの識別情報を読み取らせれば、その生徒の連絡先に、その生徒の居場所が自動で連絡されることになる。
【００３６】
このため、例えば、事故や事件に遭遇して普段通りに登校又は下校できなかった生徒は、その緊急通知用のタグリーダに自己の識別情報を読み取らせることによって、保護者等に自分の居場所を連絡することができることになり、生徒の安全性をより向上することが可能となる。
【考案を実施するための最良の形態】
【００３７】
以下に本考案の実施形態を図面と共に説明する。
図１は、本考案が適用された実施形態の出退管理システム全体の構成を表す概略構成図である。
【００３８】
図１に示す如く、本実施形態の出退管理システムは、塾若しくは学校である教育施設１０に通う生徒の出席・退席状況（出退状況）を管理するためのものであり、その教育施設１０の出入り口或いはその教育施設１０の各教室の出入り口に設けられる出退検知用タグリーダ１２を備える。
【００３９】
この出退検知用タグリーダ１２は、教育施設１０に通う生徒が所持するＩＤタグ２から、ＩＤタグ２内に記憶された生徒の識別情報を読み取るためのものであり、本実施形態では、数十ｃｍ離れたＩＤタグ２から識別情報を非接触に読み取ることのできるものが使用されている。
【００４０】
なお、ＩＤタグ２には、出退検知用タグリーダ１２側で非接触で情報を読み取ることができるように、出退検知用タグリーダ１２からの無線による送信電力により起動して識別情報を無線送信する機能を有するＲＦＩＤタグが用いられている。
【００４１】
そして、この出退検知用タグリーダ１２は、通信端末１４を介して広域ネットワーク（本実施形態ではインターネット４）に接続されており、通信端末１４は、出退検知用タグリーダ１２がＩＤタグ２から読み取った識別情報を、インターネット４を介して、インターネット４に接続された管理センタ２０内の管理用コンピュータ３０に送信するように構成されている。
【００４２】
また、教育施設１０には、こうした出退検知用タグリーダ１２や通信端末１４とは別に、先生や管理者が生徒の出退状況を確認したり変更したりするためのパーソナルコンピュータ（以下、単にパソコンともいう）からなる管理端末１６も備えられている。
【００４３】
なお、生徒の出退状況は、全て管理センタ２０側で管理されており、この管理端末１６は、操作者（先生若しくは管理者）によるキーボードやマウスの操作に従い、管理センタ２０側の管理用コンピュータ３０からインターネット４を介して出退管理のための各種情報を取得して、表示手段としてのディスプレイに表示すると共に、その情報の変更指令をインターネット４を介して管理用コンピュータ３０に送信する。
【００４４】
一方、管理センタ２０には、教育施設１０に通う生徒の個人情報（生徒の識別情報や連絡先等）が登録された個人情報データベース（個人情報ＤＢ）２２と、同じく生徒の出退状況を管理するための出退情報が登録された出退情報データベース（出退情報ＤＢ）２４と、各生徒の出退状況や各種連絡事項を生徒の保護者や親族等に電子メールにて通知するのに必要な通知情報が登録された通知情報データベース（通知情報ＤＢ）２６と、通学路での生徒の登下校状況を記憶しておくための登下校情報データベース（登下校情報ＤＢ）２８と、教育施設１０の通信端末１４から送信されてきた識別情報（ＩＤ）や管理端末１６から送信されてきた指令に従い、これら各ＤＢ２２，２４，２６，２８への情報の書き込み、情報の読み出し、或いは情報の書き換え等を行う管理用コンピュータ３０と、生徒の保護者や親族に対して出退状況や各種連絡事項を通知するための通知用コンピュータ３２と、が備えられている。
【００４５】
なお、本実施形態において、個人情報ＤＢ２２は、本考案の連絡先記憶手段に相当し、出退情報ＤＢ２４は、本考案の出退状況記憶手段に相当し、通知情報ＤＢ２６は、本考案の通知情報記憶手段に相当し、登下校情報ＤＢ２８は、本考案の登下校状況記憶手段に相当する。
【００４６】
そして、通知用コンピュータ３２は、管理用コンピュータ３０から入力される送信データに従い、インターネット４を利用した電子メールによって、保護者等が所有する携帯電話６ａ、ＰＤＡ等の携帯情報端末６ｂ、パソコン６ｃ等のインターネット端末に、生徒の出退状況や各種通知情報を送信する。
【００４７】
また次に、教育施設１０への通学路には、生徒の登下校を監視するための複数の登下校監視用タグリーダ４２が分散して配置されており、更に、通学路に沿って設置されている子供の緊急避難用の施設（例えば子供１１０番の施設）には、緊急通知用タグリーダ４６が設置されている。なお、登下校監視用タグリーダ４２は、例えば、通学路に設置されている自動販売機等に組み付けられる。
【００４８】
ここで、登下校監視用タグリーダ４２は、その設置場所付近を通過する生徒のＩＤタグ２からＩＤを取得し、その取得したＩＤを、インターネット４を介して管理用コンピュータ３０に送信するためのためのものであり、インターネット４を介して管理用コンピュータ３０との間でデータ通信を行う通信機能を備えている。
【００４９】
また、登下校監視用タグリーダ４２には、周囲の画像を撮像するための監視用カメラ４４も内蔵されており、登下校監視用タグリーダ４２は、管理用コンピュータ３０から録画指令を受けると、監視用カメラ４４を動作させて周囲画像を録画し、その後管理用コンピュータ３０から撮像の終了指令を受けると、その録画画像（動画）を、インターネット４を介して管理用コンピュータ３０に送信する。
【００５０】
なお、管理用コンピュータ３０は、登下校監視用タグリーダ４２から生徒のＩＤを取得すると、その登下校監視用タグリーダ４２の設置場所や登下校監視用タグリーダ４２によるＩＤの読み取り時刻等を登下校情報ＤＢ２８に登録すると共に、監視用カメラ４４により一定時間周囲画像を撮像させて、その撮像データを登下校情報ＤＢ２８に格納するが、この動作については後述する。
【００５１】
また、緊急通知用タグリーダ４６は、生徒が緊急避難用の施設に駆け込んだ際に、その旨を管理用コンピュータ３０に通知するためのものである。つまり、緊急通知用タグリーダ４６も、登下校監視用タグリーダ４２と同様、インターネット４を介して管理用コンピュータ３０との間でデータ通信を行う通信機能を備えており、生徒のＩＤタグ２からＩＤを取得すると、その取得したＩＤをインターネット４を介して管理用コンピュータ３０に送信するのである。
【００５２】
なお、管理用コンピュータ３０は、この緊急通知用タグリーダ４６から生徒のＩＤを取得すると、その生徒に対して予め登録されている連絡先（メールアドレス）に、生徒の居場所（緊急通知用タグリーダ４６が設置された施設やその住所等）を電子メールにて通知するが、この動作についても後述する。
【００５３】
次に、図２は、個人情報ＤＢ２２、出退情報ＤＢ２４、通知情報ＤＢ２６にそれぞれ登録された生徒の個人情報、出退情報、及び通知情報を表している。
図２（ａ）に示す如く、生徒の個人情報は、その生徒の識別情報（ＩＤ：生徒が所持するＩＤタグ２と同じもの）、生徒の名前、学年、クラス、及び、連絡先（メールアドレス）等から構成されており、その登録番号順に、個人情報ＤＢ２２に登録されている。なお、連絡先のメールアドレスは、生徒一人当たりに３個まで登録できるようにされている。
【００５４】
また、図２（ｂ）に示す如く、出退情報は、生徒の個人情報の登録番号に関連づけて各生徒毎に出退情報ＤＢ２４に登録されるものであり、出退検知用タグリーダ１２の識別情報の読み取り状態に応じて更新される生徒の最新の出退状態を表す出退フラグ、先生がその生徒の出席を確認した際に管理端末１６を操作して手動で入力（セット）し得る出席確認フラグ、先生がその生徒から帰宅の報告を受けた際に管理端末１６を操作して手動で入力（セット）し得る帰宅確認フラグ、先生が保護者等から事前に欠席の報告を受けた際に管理端末１６を操作して手動で入力（セット）し得る欠席確認フラグ、及び、生徒の過去の出退状況を表す出退履歴、等から構成されている。
【００５５】
一方、通知情報は、通知用コンピュータ３２を介して、電子メールで保護者等に通知する文を表す情報であり、図２（ｃ）に示す如く、通知情報ＤＢ２６には、生徒の出退状況に応じて通知する通知情報として、生徒が出席した時に通知する出席通知情報、生徒が帰宅した時に通知する帰宅通知情報、生徒が欠席し且つ保護者等からの連絡もない場合に通知する欠席通知情報、等が登録されている。
【００５６】
また、通知情報ＤＢ２６には、各生徒をグループ分けしたグループ単位で一斉に連絡を行うための一斉連絡用通知情報として、定期連絡用の通知情報と、緊急連絡用の通知情報とを登録できるようにされており、更に、これら定期連絡用及び緊急連絡用の通知情報には、それぞれ、教育施設１０に通う生徒全員に通知するための全員通知情報、学年単位で通知するための学年通知情報、クラス単位で通知するためのクラス通知情報、等を登録できるようにされている。
【００５７】
また、通知情報ＤＢ２６には、各生徒毎に個別に連絡するための個別連絡用の通知情報を、生徒の個人情報の登録番号に関連づけて各生徒毎に登録できるようにされている。そして、この個別連絡用通知情報としては、個別通知専用の通知情報（個別通知情報）とは別に、生徒が出席した時に通知する出席通知情報に添付する出席通知添付情報、生徒が帰宅した時に通知する帰宅通知情報に添付する帰宅通知添付情報、及び、定期連絡用の通知情報に添付する定期通知添付情報、等を登録できるようにされている。
【００５８】
次に、図３は、出退検知用タグリーダ１２がＩＤタグ２から読み取った生徒の識別情報（ＩＤ）に基づき生徒の出退状況を管理するために、管理用コンピュータ３０にて繰り返し実行される出退管理処理を表すフローチャートである。
【００５９】
上述したように、出退検知用タグリーダ１２が生徒のＩＤタグ２からＩＤを読み取ると、通信端末１４が、そのＩＤをインターネット４を介して管理用コンピュータ３０に送信してくるので、この出退管理処理では、まずＳ１１０にて、教育施設１０側から（詳しくは通信端末１４から）送信されてきた生徒のＩＤを受信したか否かを判断し、ＩＤを受信していなければ、一旦当該処理を終了する。
【００６０】
一方、Ｓ１１０にて、通信端末１４から送信された生徒のＩＤを受信したと判断すると、Ｓ１２０に移行して、その受信したＩＤ（受信ＩＤ）に対応した生徒の出退履歴を、出退情報ＤＢ２４から読み込み、続くＳ１３０にて、前回その生徒の出退履歴を更新してから、予め設定された更新可能時間（例えば１０分）が経過しているか否かを判断する。
【００６１】
そして、更新可能時間が経過していなければ（つまり、前回出退情報を更新してからの経過時間が短いときには）、生徒が出退検知用タグリーダ１２付近にいて、出退検知用タグリーダ１２が同じ識別情報（ＩＤ）を読み取ったものと判断して、当該処理を一旦終了し、逆に、更新可能時間が経過していれば、Ｓ１４０に移行して、受信ＩＤにて特定される生徒の出退情報のうち、出退フラグ及び出退履歴を更新した後、Ｓ１５０に移行する。
【００６２】
なお、上述したＳ１１０〜Ｓ１４０の処理は、本考案の出退状況登録手段に相当するものである。そして、Ｓ１４０の処理では、出退フラグが生徒の帰宅状態を表すリセット状態であれば、生徒が登校してきたと判断して、出退フラグをセットすると共に、出退履歴として登校時間を追加し、逆に、出退フラグが生徒の出席状態を表すセット状態であれば、生徒が下校したと判断して、出退フラグをリセットすると共に、出退履歴として下校時間を追加する。
【００６３】
次に、Ｓ１５０では、Ｓ１４０での出退履歴の更新結果に対応した通知情報、つまり、出席通知情報若しくは帰宅通知情報とそれに対する添付情報を通知情報ＤＢ２６から読み込み、続くＳ１６０にて、受信ＩＤの生徒の保護者等に対する連絡先（メールアドレス）を、個人情報ＤＢ２２から読み込む。
【００６４】
また、続くＳ１７０では、Ｓ１５０で読み込んだ通知情報と、Ｓ１６０にて読み込んだ連絡先（メールアドレス）とに基づき、そのメールアドレスに通知情報を送信するのに必要な送信データ（メールデータ）を生成する。なお、この送信データには、生徒の登校時刻又は下校時刻が含まれる。
【００６５】
そして、続くＳ１８０では、その生成した送信データ（メールデータ）を通知用コンピュータ３２に出力することで、受信ＩＤの生徒の登校又は下校を表す通知情報を、その生徒に対して予め設定されている連絡先（メールアドレス）に送信させ、当該処理を一旦終了する。なお、上述したＳ１５０〜Ｓ１８０の処理は、本発明の出退状況通知手段に相当する。そして、本実施形態では、生徒の保護者等への連絡先として最大３つのメールアドレスを登録できるようにされているため、Ｓ１５０〜Ｓ１８０の処理や後述する処理で通知情報を保護者等に通知する際には、各生徒毎に登録されている全てのメールアドレスに通知情報を送信する。
【００６６】
次に、図４は、先生若しくは管理者が教育施設１０内に設置された管理端末１６を操作することにより、インターネット４を介して、管理用コンピュータ３０にアクセスしてきたときに、管理用コンピュータ３０にて実行される管理情報更新処理を表すフローチャートである。
【００６７】
この管理情報更新処理は、管理端末１６側（換言すれば先生若しくは管理者）からの指令に従い、各情報ＤＢ２２〜２８から指定されたデータを検索して、検索結果を管理端末１６に送信したり、管理端末１６側からの指令に従い、出退情報ＤＢ２４や通知情報ＤＢ２６に登録された情報を更新するための処理であり、処理が開始されると、まずＳ３１０にて、今回アクセスしてきた管理端末１６に対して、操作者の認証情報（識別情報（ＩＤ）やパスワード等）を要求し、その要求に従い管理端末１６側から送信されてきた認証情報から、操作者が予め登録された正規の者であるか否かを判定する認証処理を実行する。
【００６８】
そして、Ｓ３２０では、その認証処理の結果、操作者を正規のものと認証できたか否かを判断し、認証できていなければ、Ｓ３３０にて、今回アクセスしてきた管理端末１６に対して接続を拒否する旨を表すメッセージを送信し、当該処理を終了する。
【００６９】
一方、Ｓ３２０にて、管理端末１６の操作者を認証できたと判断すると、Ｓ３４０に移行して、今回アクセスしてきた管理端末１６に対して管理メニューを送信する。なお、この管理メニューは、管理端末１６側でディスプレイに表示することで、各情報ＤＢ２２〜２８の検索若しくは出退情報や通知情報の更新のための各種指令を、ディスプレイの表示画面上で操作者に選択させるためのものである。
【００７０】
そして、続くＳ３５０では、Ｓ３４０にて送信した管理メニューに従って、管理端末１６から、情報確認の指令が送信されてきたか否かを判断し、情報確認の指令が送信されてきていなければ、続くＳ３８０にて、情報修正の指令が送信されてきたか否かを判断し、情報修正の指令が送信されてきていなければ、Ｓ４８０に移行して、緊急連絡若しくは個別連絡のための通知指令が送信されてきたか否かを判断し、通知指令が送信されてきていなければ、Ｓ５２０に移行して、通信を遮断するログアウトの指令が送信されてきたか否かを判断し、ログアウトの指令が送信されてきていれば、そのまま当該処理を終了し、逆に、ログアウトの指令が送信されてきていなければ再度Ｓ３５０に移行する、といった手順で、管理端末１６側からこれらの指令が送信されてくるのを待機する。
【００７１】
そして、Ｓ３５０にて、管理端末１６から、情報確認の指令が送信されてきたと判断されると、Ｓ３６０に移行して、その要求のあった情報を上記各情報ＤＢ２２〜２８から抽出して、その抽出した情報を一覧表示するための表示画像を生成して、管理端末１６に送信することにより、管理端末１６の表示画面上に先生が要求した情報の一覧を表示させ、Ｓ３８０に移行する。
【００７２】
この結果、管理端末１６側では、全生徒、学年単位、若しくは、クラス単位で、各生徒の個人情報や出退状況を確認したり、全通知情報、一部の通知情報、若しくは特定の通知情報の内容を確認したり、或いは、通学路での生徒の登下校状況を確認することができる。
【００７３】
また、Ｓ３８０にて、管理端末１６から、情報修正の指令が送信されてきたと判断されると、Ｓ３９０にて、管理端末１６から指定された修正対象情報を上記各情報ＤＢ２２〜２６（登下校情報は修正できないため登下校情報ＤＢ２８は含まない）から抽出して、その抽出した情報を表示画面上で修正するための情報修正用画像を生成して、管理端末１６に送信することにより、管理端末１６のディスプレイ上にその修正用画像を表示させる。
【００７４】
そして、その後は、Ｓ４１０にて、情報の修正内容と共に管理端末１６側から送信されてくる修正指令を受信したか否かを判断することにより、修正指令が送信されてくるのを待ち、Ｓ４１０にて、修正指令を受信したと判断されると、続くＳ４２０にて、その指令内容に応じて、対応する情報ＤＢ２２〜２６内の情報を更新し、Ｓ４３０に移行する。
【００７５】
なお、このように管理端末１６からの指令に従い修正対象情報を更新するのに実行されるＳ３８０〜Ｓ４２０の一連の処理は、本考案の出退状況書換手段、通知情報書込手段に相当する。
【００７６】
また、Ｓ４３０では、今回の情報修正は、先生若しくは管理者が生徒の出席又は帰宅を確認して、出席確認フラグ又は帰宅確認フラグをセットし、出退履歴を更新する、出退情報の修正であったか否かを判断する。
【００７７】
そして、今回の情報修正は、こうした出退情報の修正であった場合には、Ｓ４４０に移行して、その更新結果に対応した通知情報（つまり、出席通知情報若しくは帰宅通知情報）を通知情報ＤＢ２６から読み込むと共に、続くＳ４５０にて、出退情報が修正された生徒の連絡先（メールアドレス）を、個人情報ＤＢ２２から読み込み、Ｓ４６０に移行する。
【００７８】
そして、Ｓ４６０では、上記Ｓ１７０と同様に、Ｓ４４０にて読み込んだ通知情報とＳ４５０にて読み込んだ連絡先（メールアドレス）とに基づき、そのメールアドレスに通知情報を送信するのに必要な送信データを生成し、続く４７０にて、上記Ｓ１８０と同様に、その生成した送信データを通知用コンピュータ３２に出力することで、今回出退情報が修正された生徒が出席若しくは帰宅した旨を表す通知情報を、その生徒の保護者等に電子メールにて通知し、Ｓ４８０に移行する。なお、上述したＳ４４０〜Ｓ４７０の処理は、Ｓ１５０〜Ｓ１８０の処理と同様に、本発明の出退状況通知手段に相当する。
【００７９】
また次に、Ｓ４８０にて、管理端末１６から、緊急連絡若しくは個別連絡のための通知指令が送信されてきたと判断されると、Ｓ４９０に移行して、その通知指令に対応する通知情報及び連絡先（メールアドレス）を、通知情報ＤＢ２６及び個人情報ＤＢ２２から読み込む。
【００８０】
そして、続くＳ５００では、上記Ｓ４６０と同様に、Ｓ４９０にて読み込んだ通知情報と連絡先（メールアドレス）とに基づき送信データを生成し、続く５１０にて、上記Ｓ４６０と同様に、その生成した送信データを通知用コンピュータ３２に出力することで、今回管理端末１６側から通知指令を受けた通知情報を保護者等に通知し、Ｓ５２０に移行する。なお、上述したＳ４９０〜Ｓ５１０の処理は本発明の通知情報通知手段に相当する。
【００８１】
また、上述したＳ４９０〜Ｓ５１０において、管理端末１６側から欠席通知情報の通知指令を受けている場合には、まず、Ｓ４９０にて、出退情報ＤＢ２４を検索することにより、出退フラグ、出退確認フラグ及び帰宅確認フラグが全てリセット状態であり（つまり出席を確認できておらず）、しかも、情報修正によって欠席確認フラグもセットされていない（つまり先生や管理者が欠席の連絡を受けていない）生徒を抽出して、その生徒の連絡先（メールアドレス）を個人情報ＤＢ２２から読み込み、Ｓ５００にて、その連絡先（メールアドレス）に欠席通知情報を送信するための送信データを生成し、Ｓ５１０にて、その生成した送信データを通知用コンピュータ３２に出力することで、事前に連絡がなく無断で欠席している生徒の保護者等に対して、その旨を通知する、といった手順で、欠席通知手段としての処理を実行する。
【００８２】
次に、図５は、保護者等が所有する外部情報端末（携帯電話６ａ、ＰＤＡ等の携帯情報端末６ｂ、パソコン６ｃ等のインターネット端末）から、インターネット４を介して、特定の生徒の情報（以下、個別情報という）が要求されたときに、管理用コンピュータ３０にて実行される、個別情報送信処理を表すフローチャートである。
【００８３】
この個別情報送信処理は、保護者等が所有する外部情報端末からの指令に従い、その指令に対応した生徒の個別情報（出退情報ＤＢ２４に登録された生徒の出退情報や、通知情報ＤＢ２６に登録された通知情報）を抽出して、外部情報端末に返信するための処理である。
【００８４】
そして、この処理が開始されると、まずＳ６００にて、今回アクセスしてきた外部情報端末に対して、操作者である保護者等の認証情報（識別情報（ＩＤ）やパスワード等）を要求し、その要求に従い外部情報端末から送信されてきた認証情報から、操作者が予め登録された正規の者であるか否かを判定する認証処理を実行する。
【００８５】
そして、Ｓ６１０では、その認証処理の結果、操作者を正規のものと認証できたか否かを判断し、認証できなければ、Ｓ６２０にて、今回アクセスしてきた外部情報端末に対して接続を拒否する旨を表すメッセージを送信し、当該処理を終了する。
【００８６】
一方、Ｓ６１０にて、外部情報端末の操作者を認証できたと判断すると、Ｓ６３０に移行して、今回アクセスしてきた外部情報端末に対して情報の選択メニューを送信する。なお、この選択メニューは、外部情報端末のディスプレイに、管理用コンピュータ３０側から提供可能な個別情報（出退情報ＤＢ２４に登録された生徒の出退情報や通知情報ＤＢ２６に登録された各種通知情報）の一覧を表示させ、外部情報端末の操作者（保護者等）に対して、その一覧の中から所望の個別情報を選択させるためのものである。
【００８７】
そして、続くＳ６４０では、Ｓ６３０にて送信した選択メニューに従って、外部情報端末側から、個別情報の選択指令が送信されてきたか否かを判断し、個別情報の選択指令が送信されてきていなければ、続くＳ６７０にて、外部情報端末側からログアウトの指令が送信されてきたか否かを判断し、ログアウトの指令が送信されてきていれば、そのまま当該処理を終了し、逆に、ログアウトの指令が送信されてきていなければ再度Ｓ６４０に移行する、といった手順で、外部情報端末から個別情報の選択指令若しくはログアウトの指令が送信されてくるのを待機する。
【００８８】
そして、Ｓ６４０にて、外部情報端末から個別情報の選択指令が送信されてきたと判断されると、Ｓ６５０に移行して、その選択指令に対応した個別情報を出退情報ＤＢ２４又は通知情報ＤＢ２６から読み出し、続くＳ６６０にて、その読み出した個別情報の表示画像を生成して、外部情報端末に送信することにより、外部情報端末に所望の個別情報を提供し、Ｓ６７０に移行する。なお、このＳ６５０、Ｓ６６０の処理は、本考案の出退状況返信手段に相当する。
【００８９】
次に、図６は、通学路に設置された登下校監視用タグリーダ４２を利用して生徒の登下校時の状況を把握するために、管理用コンピュータ３０にて繰り返し実行される登下校情報蓄積処理を表すフローチャートである。
【００９０】
この登下校情報蓄積処理は、本発明の登下校状況登録手段に相当するものであり、この処理が開始されると、まずＳ７１０にて、登下校監視用タグリーダ４２から送信されてきた生徒のＩＤを受信したか否かを判断する。
【００９１】
そして、Ｓ７１０にて、登下校監視用タグリーダ４２から送信されてきたＩＤを受信したと判断すると、Ｓ７２０に移行して、その受信ＩＤと共に登下校監視用タグリーダ４２から送信されてきた位置情報（登下校監視用タグリーダ４２の設置場所を表す情報）に基づき生徒の現在位置を特定すると共に、内蔵時計等を利用して現在時刻を特定し、その特定した現在位置と現在時刻と受信ＩＤとを登下校情報ＤＢ２８に登録する。
【００９２】
また続くＳ７３０では、今回ＩＤを送信してきた登下校監視用タグリーダ４２が監視用カメラ４４による撮像画像を録画中か否かを判断し、録画中でなければ、Ｓ７４０にて、その登下校監視用タグリーダ４２による録画終了時刻を、現在時刻に予め設定された録画時間を加えた時刻に設定した後、ＩＤを送信してきた登下校監視用タグリーダ４２に対して、監視用カメラ４４を動作させてその監視用カメラ４４による撮像画像を録画させる録画開始指令を送信し、当該処理を一旦終了する。
【００９３】
また、Ｓ７３０にて、ＩＤを送信してきた登下校監視用タグリーダ４２が監視用カメラ４４による撮像画像を録画中であると判断された場合には、Ｓ７５０に移行して、その録画の終了時刻を、現在時刻に予め設定された録画時間を加えた時刻に書き換え、当該処理を一旦終了する。
【００９４】
一方、Ｓ７１０にて、登下校監視用タグリーダ４２から送信されてきたＩＤを受信していないと判断された場合には、７６０に移行して、現在、監視用カメラ４４による撮像画像を録画している登下校監視用タグリーダ４２は存在するか否かをを判断する。
【００９５】
そして、録画中の登下校監視用タグリーダ４２がなければ、当該処理を一旦終了し、逆に、録画中の登下校監視用タグリーダ４２があれば、続くＳ７７０にて、その録画中の登下校監視用タグリーダ４２毎に録画終了時刻が経過したか否かを判断することにより、録画終了時刻が経過している登下校監視用タグリーダ４２があるか否かを判定する。
【００９６】
そして、Ｓ７７０にて、録画終了時刻が経過している登下校監視用タグリーダ４２はないと判断されると、当該処理を一旦終了し、逆に、録画終了時刻が経過している登下校監視用タグリーダ４２があれば、Ｓ７８０に移行して、その登下校監視用タグリーダ４２に対して録画終了指令を送信することにより録画を終了させると共に、登下校監視用タグリーダ４２から、録画した画像データ（録画データ）を取得し、その録画データを、録画開始・終了時刻及び録画位置（つまり登下校監視用タグリーダ４２の設置場所）と一緒に、登下校情報ＤＢ２８に格納し、当該処理を一旦終了する。
【００９７】
次に、図７は、子供の緊急避難用の施設に設置された緊急通知用タグリーダ４６が生徒のＩＤを読み取ったときに、その旨をその生徒の連絡先（メールアドレス）に通知するために管理用コンピュータ３０にて繰り返し実行される、登下校緊急通知処理を表すフローチャートである。
【００９８】
この登下校緊急通知処理は、本発明の緊急通知手段に相当するものであり、この処理が開始されると、まずＳ８１０にて、緊急通知用タグリーダ４６から送信されてきた生徒のＩＤを受信したか否かを判断する。
【００９９】
そして、Ｓ８１０にて、緊急通知用タグリーダ４６から送信されてきたＩＤを受信していなければ、当該処理を一旦終了し、逆に、Ｓ８１０にて、緊急通知用タグリーダ４６から送信されてきたＩＤを受信したと判断すると、Ｓ８２０に移行する。
【０１００】
Ｓ８２０では、生徒のＩＤと共に緊急通知用タグリーダ４６から送信されてきた位置情報（緊急通知用タグリーダ４６の設置場所を表す情報）を読み込み、続くＳ８３０にて、緊急通知用タグリーダ４６から送信されてきたＩＤに対応した保護者等の連絡先（メールアドレス）を個人情報ＤＢ２２から読み込む。
【０１０１】
そして、続くＳ８４０では、Ｓ８２０及びＳ８３０で読み込んだ緊急通知用タグリーダ４６の設置場所及び生徒への連絡先（メールアドレス）と、現在時刻とに基づき、保護者等に生徒の居場所を通知するための送信データを生成し、更に続く８５０にて、その生成した送信データを通知用コンピュータ３２に出力することで、緊急通知用タグリーダ４６から送信されてきたＩＤの生徒の保護者等に対して、生徒の居場所を電子メールにて通知させ、当該処理を終了する。
【０１０２】
以上説明したように、本実施形態の出退管理システムにおいては、塾若しくは学校に登校してきた生徒が出退検知用タグリーダ１２付近を通って、出退検知用タグリーダ１２がその生徒のＩＤタグ２に記憶された識別情報（ＩＤ）を読み込み、その読み込んだ識別情報（ＩＤ）が管理用コンピュータ３０に送信されてきたときだけでなく、先生が生徒の出席若しくは帰宅を確認して、出退情報ＤＢ２４内の出席確認フラグ若しくは帰宅確認フラグをセットし、出退履歴を更新させたときにも、出席通知情報若しくは帰宅通知情報を、その生徒に対して予め設定された所定の連絡先（メールアドレス）に電子メールにて通知するようにされている。
【０１０３】
このため、本実施形態の出退管理システムによれば、生徒がＩＤタグ２を忘れてきたような場合であっても、その旨を生徒が先生に報告するか或いは先生自身が気づいて、出退情報ＤＢ２４に記憶された出退情報を更新すれば、保護者等の連絡先に、生徒が出席又は帰宅した旨を確実に通知することができる。
【０１０４】
本実施形態の出退管理システムにおいては、教育施設１０側で保護者等から生徒の欠席の連絡を受けた際には、管理端末１６を介して、その欠席の連絡があった生徒の欠席確認フラグをセットすることにより、出退情報ＤＢ２４に生徒の欠席を登録することができ、しかも、管理端末１６から欠席の通知指令を入力すると、管理センタ２０側では、管理用コンピュータ３０が、出退情報ＤＢ２４を検索して、そのとき出席を確認できておらず、しかも、欠席確認フラグもセットされていない生徒を抽出して、通知用コンピュータ３２から、その生徒の保護者等に生徒が無断欠席している旨を通知させる。
【０１０５】
このため、保護者等は、生徒の無断欠席を速やかに知って、生徒の居場所を探すことができることになり、生徒が登校途中で事故等に遭遇したような場合の対策を速やかに行うことができる。また、保護者等は生徒が授業に出席しているか否かを確実に把握することができるようになるので、保護者等の精神的負担も軽減できる。また、事前に欠席の連絡があった生徒については、保護者等への欠席の通知は行わないようにされているので、保護者等へ不要な連絡をしてしまい、保護者等に不快感を与えるのを防止できる。
【０１０６】
また、本実施形態の出退管理システムにおいては、管理端末１６を介して各種通知指令を入力することにより、上記のような欠席の通知だけでなく、生徒単位、クラス単位、学年単位、或いは全生徒、というように、任意のグループ単位で、任意の通知情報を、各生徒の保護者等に通知することができる。このため、本実施形態によれば、生徒の出退状況に限らず、生徒の状況や塾・学校の状況を、保護者等へリアルタイムで通知することができ、保護者等へのサービスを向上することができる。
【０１０７】
本実施形態の出退管理システムにおいては、保護者等が子供の状況を確認するために、外部情報端末（携帯電話６ａ、ＰＤＡ等の携帯情報端末６ｂ、パソコン６ｃ等のインターネット端末）を介して、所望の情報を要求すると、管理用コンピュータ３０がその要求に対応した情報を出退情報ＤＢ２４若しくは通知情報ＤＢ２６から取得して、その情報を要求してきた外部情報端末に送信することから、保護者等は、子供の出退状況や塾・学校からの連絡事項をいつでも確認することができる。よって、教育施設１０から保護者等に対するサービスをより向上することができる。
【０１０８】
また更に、本実施形態の出退管理システムによれば、生徒の通学路での登下校状態を登下校監視用タグリーダ４２と監視用カメラ４４とで監視し、その監視結果を登下校情報ＤＢ２８に記憶することから、生徒が無断欠席した場合や帰宅予定時間になっても帰宅しない場合等には、登下校情報ＤＢ２８に記憶された情報から、生徒が通った登下校経路を確認して、生徒を探すことができる。また、登下校情報ＤＢ２８には、監視用カメラ４４で撮像した生徒の画像（動画）も記憶されることから、生徒の登下校時の状態を確認することもできる。
【０１０９】
また、本実施形態の出退管理システムによれば、生徒の緊急避難用の施設に設置された緊急通知用タグリーダ４６から管理用コンピュータ３０にＩＤが送信されると、管理用コンピュータ３０は、その緊急通知用タグリーダ４６の設置場所等を、生徒の連絡先（メールアドレス）に通知することから、例えば、生徒の通学途中に異常が生じ、生徒が緊急通知用タグリーダ４６が設置された施設に駆け込んだ場合には、その旨を保護者等に速やかに通知することができるようになり、生徒を速やかに保護することが可能となる。
【０１１０】
以上、本考案の一実施形態について説明したが、本考案は上記実施形態に限定されるものではなく、本考案の要旨を逸脱しない範囲内にて、種々の態様を採ることができる。
例えば、上記実施形態では、登下校監視用タグリーダ４２は、通学路に沿って配置されるものとして説明したが、この登下校監視用タグリーダ４２と同様の機能を有するタグリーダ（図１に点線で示す自宅設置用タグリーダ５０参照）を、各生徒の自宅に設置するようにし、この自宅設置用タグリーダ５０からＩＤが送信されたときにも、管理コンピュータ３０側で、そのＩＤを、そのタグリーダ５０の設置場所や時刻と共に登下校情報ＤＢ２８に登録するようにすれば、生徒が家を出たときや帰宅したときの時刻をも監視できるようになり、その情報を、生徒を探す際の情報として有効に利用することが可能となる。
【０１１１】
また、上記実施形態では、管理対象となる教育施設１０は１箇所であるものとして説明したが、管理対象となる教育施設１０が複数存在する場合には、上記各情報ＤＢ２２〜２８を各教育施設１０毎に構築しておくようにすれば、管理センタ２０側では、上記実施形態と同様の手順で、各教育施設１０毎に生徒の出退状況を管理することができる。
【０１１２】
またこのように管理センタ２０側で複数の教育施設１０の生徒の出退状況を管理するようにした場合、生徒に持たせるＲＦＩＤタグ２を各教育施設１０間で共通のものにすれば、各生徒毎に、その生徒が通う全ての教育施設１０への出退状況を総合的に管理することができるようになる。
【０１１３】
そして、このようにすれば、複数の教育施設１０に通う生徒の出退状況として、その生徒の各教育施設１０への出退状況の一覧を、各教育施設１０の管理者や生徒の保護者等に通知することもできるようになり、保護者等は、この通知によって、生徒の複数の教育施設１０への出退状況を簡単に把握することが可能となる。
【０１１４】
また、例えば、教育施設１０としての塾の教室が複数存在する場合、拠点となる特定の教室に通う生徒が、特別の講習を受けるために一時的に他の教室にも出席することも考えられる。そして、このような場合には、生徒の出退状況として、拠点となる教室への出退状況だけでなく、拠点ではない他の教室への出退状況についても管理して、その出退状況を保護者や拠点となる教室の管理者に通知できるとよいが、上記のように、生徒に持たせるＲＦＩＤタグ２を各教室で共通のものにすれば、各生徒毎に、全ての教室への出退状況を総合的に管理することができることから、こうした要望にも容易に応えることができる。
【図面の簡単な説明】
【０１１５】
【図１】実施形態の出退管理システム全体の構成を表す概略構成図である。
【図２】データベースに登録された個人情報、出退情報、通知情報を説明する説明図である。
【図３】管理用コンピュータにて実行される出退管理処理を表すフローチャートである。
【図４】管理用コンピュータにて実行される管理情報更新処理を表すフローチャートである。
【図５】管理用コンピュータにて実行される個別情報送信処理を表すフローチャートである。
【図６】管理用コンピュータにて実行される登下校情報蓄積処理を表すフローチャートである。
【図７】管理用コンピュータにて実行される登下校緊急通知処理を表すフローチャートである。
【符号の説明】
【０１１６】
２…ＩＤタグ、４…インターネット、６ａ…携帯電話、６ｂ…携帯情報端末、６ｃ…パーソナルコンピュータ、１０…教育施設、１２…出退検知用タグリーダ、１４…通信端末、１６…管理端末、２０…管理センタ、２２…個人情報ＤＢ、２４…出退情報ＤＢ、２６…通知情報ＤＢ、２８…登下校情報ＤＢ、３０…管理用コンピュータ、３２…通知用コンピュータ、４２…登下校監視用タグリーダ、４４…監視用カメラ、４６…緊急通知用タグリーダ、５０…自宅設置用タグリーダ。
【図１】
0003112683.tif 000003
【図２】
0003112683.tif 000004
【図３】
0003112683.tif 000005
【図４】
0003112683.tif 000006
【図５】
0003112683.tif 000007
【図６】
0003112683.tif 000008
【図７】
0003112683.tif 000009